(57)【特許請求の範囲】
【請求項１】
第１の動画の再生画像と、再生された前記第１の動画を見ている動物を撮影した第２の動画の再生画像と、前記第１の動画と前記第２の動画との関係性を示す情報とを含む画像を表示する表示部と、
動画を再生する再生部とを備え、
前記画像は、前記再生部により再生された第３の動画の再生画像である動画再生装置。
【請求項２】
第１の動画の再生画像と、再生された前記第１の動画を見ている動物を撮影した第２の動画の再生画像と、前記第１の動画と前記第２の動画との関係性を示す情報とを含む画像を表示する表示部を備え、
前記第１の動画と前記第２の動画との関係性を示す情報は、前記第１の動画または前記第２の動画の再生画像の形状またはサイズが変化するという情報である動画再生装置。
【請求項３】
第１の動画の再生画像と、再生された前記第１の動画を見ている動物を撮影した第２の動画の再生画像と、前記第１の動画と前記第２の動画との関係性を示す情報とを含む画像を表示する表示部を備え、
前記画像は、前記第１の動画の再生画像における前記動物の注目対象を示す情報をさらに含む動画再生装置。
【請求項４】
第１の動画の再生画像と、再生された前記第１の動画を見ている動物を撮影した第２の動画の再生画像と、前記第１の動画と前記第２の動画との関係性を示す情報とを含む画像を表示する表示部と、
動画を再生する再生部と、
前記再生部により再生された前記第１の動画の再生画像と、前記再生部により再生された前記第２の動画の再生画像と、前記第１の動画と前記第２の動画との関係性を示す情報とを含む前記画像を生成する画像生成部とを備え、
前記画像生成部は、前記第１の動画の再生画像における前記動物の注目対象が表示されるように前記画像を生成する動画再生装置。
【請求項５】
請求項１から請求項４のいずれか一項に記載の動画再生装置において、
前記第１の動画と前記第２の動画との関係性を示す情報は、前記第１の動画と前記第２の動画のうち一方の再生画像から他方の動画の再生画像に向かうベクトル情報である動画再生装置。
【請求項６】
請求項１から請求項４のいずれか一項に記載の動画再生装置において、
前記第１の動画と前記第２の動画との関係性を示す情報は、前記第１の動画と前記第２の動画との関係性を示す番号、文字、記号、符号、図案、マークの少なくとも一つである動画再生装置。
【請求項７】
請求項１から請求項４のいずれか一項に記載の動画再生装置において、
前記第１の動画と前記第２の動画との関係性を示す情報は、前記第１の動画と前記第２の動画のうち一方の再生画像の形状が他方の動画の再生画像の形状と異なっているという情報である動画再生装置。
【請求項８】
請求項１から請求項７のいずれか一項に記載の動画再生装置において、
前記表示部は、前記第１の動画と前記第２の動画との関係性を示す情報を表示する動画再生装置。
【請求項９】
請求項１から請求項８のいずれか一項に記載の動画再生装置において、
前記画像は、前記第１の動画の再生画像を見ている動物を撮影した第４の動画の再生画像と、前記第１の動画と前記第４の動画との関係性を示す情報とをさらに含む動画再生装置。
【請求項１０】
請求項１から請求項８のいずれか一項に記載の動画再生装置において、
前記画像は、前記第２の動画の再生画像を見ている動物を撮影した第４の動画の再生画像と、前記第２の動画と前記第４の動画との関係性を示す情報とをさらに含む動画再生装置。
【請求項１１】
第１の動画の再生画像を見ている動物を撮影した第２の動画と、前記第１の動画とを送信する通信部と、
送信された前記第１の動画と前記第２の動画を受信する受信端末において前記第１の動画と前記第２の動画との関係性を示す情報を表示するための情報を記憶する記憶部とを備え、
前記通信部は、前記第１の動画と前記第２の動画を送信する際、前記第１の動画と前記第２の動画との関係性を示す情報を表示するための情報を送信し、
前記第１の動画と前記第２の動画との関係性を示す情報は、前記第１の動画または前記第２の動画の再生画像の形状またはサイズが変化するという情報である動画処理装置。
【請求項１２】
第１の動画の再生画像を見ている動物を撮影した第２の動画の再生画像と、前記第１の動画の再生画像と、前記第１の動画と前記第２の動画との関係性を示す情報とを含む動画を、前記動画の再生要求に基づき受信端末に送信する通信部を備え、
前記第１の動画と前記第２の動画との関係性を示す情報は、前記第１の動画または前記第２の動画の再生画像の形状またはサイズが変化するという情報である動画処理装置。
【請求項１３】
第１の動画の再生画像を見ている動物を撮影した第２の動画と、前記第１の動画とを送信する通信部と、
送信された前記第１の動画と前記第２の動画を受信する受信端末において前記第１の動画と前記第２の動画との関係性を示す情報を表示するための情報を記憶する記憶部とを備え、
前記通信部は、前記第１の動画と前記第２の動画を送信する際、前記第１の動画と前記第２の動画との関係性を示す情報を表示するための情報と、前記第１の動画の再生画像における前記動物の注目対象を示す情報を表示するための情報とを送信する動画処理装置。
【請求項１４】
第１の動画の再生画像を見ている動物を撮影した第２の動画の再生画像と、前記第１の動画の再生画像と、前記第１の動画と前記第２の動画との関係性を示す情報とを含む動画を、前記動画の再生要求に基づき受信端末に送信する通信部を備え、
前記通信部は、前記第１の動画の再生画像における前記動物の注目対象を示す情報を前記受信端末において表示するための情報をさらに送信する動画処理装置。
【請求項１５】
第１の動画の再生画像を見ている動物を撮影した第２の動画の再生画像と、前記第１の動画の再生画像と、前記第１の動画と前記第２の動画との関係性を示す情報とを含む動画を、前記動画の再生要求に基づき受信端末に送信する通信部を備え、
前記動画は、前記第１の動画の再生画像における前記動物の注目対象を示す情報をさらに含む動画処理装置。
【請求項１６】
請求項１１から請求項１５のいずれか一項に記載の動画処理装置において、
前記第１の動画と前記第２の動画との関係性を示す情報は、前記第１の動画と前記第２の動画のうち一方の再生画像から他方の動画の再生画像に向かうベクトル情報である動画処理装置。
【請求項１７】
請求項１１から請求項１５のいずれか一項に記載の動画処理装置において、
前記第１の動画と前記第２の動画との関係性を示す情報は、前記第１の動画と前記第２の動画との関係性を示す番号、文字、記号、符号、図案、マークの少なくとも一つである動画処理装置。
【請求項１８】
請求項１１から請求項１５のいずれか一項に記載の動画処理装置において、
前記第１の動画と前記第２の動画との関係性を示す情報は、前記第１の動画と前記第２の動画のうち一方の再生画像の形状が他方の動画の再生画像の形状と異なっているという情報である動画処理装置。
【請求項１９】
請求項１１から請求項１８のいずれか一項に記載の動画処理装置において、
前記通信部は、前記第１の動画と前記第２の動画との関係性を示す情報を前記受信端末において表示するための情報をさらに送信する動画処理装置。
【発明の詳細な説明】
【技術分野】
【０００１】
本発明は、動画再生装置および動画処理装置に関する。
【背景技術】
【０００２】
番組を見ている視聴者を撮影して記録する技術が知られている（特許文献１参照）。しかしながら、番組と視聴者との関係がわかりづらいという問題があった。
【先行技術文献】
【特許文献】
【０００３】
【特許文献１】特開２００７−１０４３４８号公報
【発明の概要】
【０００４】
本発明の第１の態様による動画再生装置は、第１の動画の再生画像と、再生された前記第１の動画を見ている動物を撮影した第２の動画の再生画像と、前記第１の動画と前記第２の動画との関係性を示す情報とを含む画像を表示する表示部と、動画を再生する再生部とを備え、前記画像は、前記再生部により再生された第３の動画の再生画像である。
本発明の第２の態様による動画再生装置は、第１の動画の再生画像と、再生された前記第１の動画を見ている動物を撮影した第２の動画の再生画像と、前記第１の動画と前記第２の動画との関係性を示す情報とを含む画像を表示する表示部を備え、前記第１の動画と前記第２の動画との関係性を示す情報は、前記第１の動画または前記第２の動画の再生画像の形状またはサイズが変化するという情報である。
本発明の第３の態様による動画再生装置は、第１の動画の再生画像と、再生された前記第１の動画を見ている動物を撮影した第２の動画の再生画像と、前記第１の動画と前記第２の動画との関係性を示す情報とを含む画像を表示する表示部を備え、前記画像は、前記第１の動画の再生画像における前記動物の注目対象を示す情報をさらに含む。
本発明の第４の態様による動画再生装置は、第１の動画の再生画像と、再生された前記第１の動画を見ている動物を撮影した第２の動画の再生画像と、前記第１の動画と前記第２の動画との関係性を示す情報とを含む画像を表示する表示部と、動画を再生する再生部と、前記再生部により再生された前記第１の動画の再生画像と、前記再生部により再生された前記第２の動画の再生画像と、前記第１の動画と前記第２の動画との関係性を示す情報とを含む前記画像を生成する画像生成部とを備え、前記画像生成部は、前記第１の動画の再生画像における前記動物の注目対象が表示されるように前記画像を生成する。
本発明の第５の態様による動画処理装置は、第１の動画の再生画像を見ている動物を撮影した第２の動画と、前記第１の動画とを送信する通信部と、送信された前記第１の動画と前記第２の動画を受信する受信端末において前記第１の動画と前記第２の動画との関係性を示す情報を表示するための情報を記憶する記憶部とを備え、前記通信部は、前記第１の動画と前記第２の動画を送信する際、前記第１の動画と前記第２の動画との関係性を示す情報を表示するための情報を送信し、前記第１の動画と前記第２の動画との関係性を示す情報は、前記第１の動画または前記第２の動画の再生画像の形状またはサイズが変化するという情報である。
本発明の第６の態様による動画処理装置は、第１の動画の再生画像を見ている動物を撮影した第２の動画の再生画像と、前記第１の動画の再生画像と、前記第１の動画と前記第２の動画との関係性を示す情報とを含む動画を、前記動画の再生要求に基づき受信端末に送信する通信部を備え、前記第１の動画と前記第２の動画との関係性を示す情報は、前記第１の動画または前記第２の動画の再生画像の形状またはサイズが変化するという情報である。
本発明の第７の態様による動画処理装置は、第１の動画の再生画像を見ている動物を撮影した第２の動画と、前記第１の動画とを送信する通信部と、送信された前記第１の動画と前記第２の動画を受信する受信端末において前記第１の動画と前記第２の動画との関係性を示す情報を表示するための情報を記憶する記憶部とを備え、前記通信部は、前記第１の動画と前記第２の動画を送信する際、前記第１の動画と前記第２の動画との関係性を示す情報を表示するための情報と、前記第１の動画の再生画像における前記動物の注目対象を示す情報を表示するための情報とを送信する。
本発明の第８の態様による動画処理装置は、第１の動画の再生画像を見ている動物を撮影した第２の動画の再生画像と、前記第１の動画の再生画像と、前記第１の動画と前記第２の動画との関係性を示す情報とを含む動画を、前記動画の再生要求に基づき受信端末に送信する通信部を備え、前記通信部は、前記第１の動画の再生画像における前記動物の注目対象を示す情報を前記受信端末において表示するための情報をさらに送信する。
本発明の第９の態様による動画処理装置は、第１の動画の再生画像を見ている動物を撮影した第２の動画の再生画像と、前記第１の動画の再生画像と、前記第１の動画と前記第２の動画との関係性を示す情報とを含む動画を、前記動画の再生要求に基づき受信端末に送信する通信部を備え、前記動画は、前記第１の動画の再生画像における前記動物の注目対象を示す情報をさらに含む。
【図面の簡単な説明】
【０００５】
【図１】動画鑑賞システムの全体構成を例示する図である。
【図２】図２は、再生装置の外観を例示する図であり、図２(a)は正面図、図２(b)は背面図である。
【図３】再生装置の要部構成を例示するブロック図である。
【図４】図４(a)および図４(b)は、表示画面を例示する図である。
【図５】図５(a)〜図５(f)は、動画の再生画像を説明する図である。
【図６】動画鑑賞システムによる処理手順を説明するフローチャートである。
【図７】図７(a)〜図７(c)は、動画の再生画像を説明する図である。
【図８】変形例９の動画鑑賞システムによる処理手順を説明するフローチャートである。
【発明を実施するための形態】
【０００６】
以下、図面を参照して本発明を実施するための形態について説明する。
本実施の形態では、視聴者による視聴対象となる動画を元動画と呼び、元動画を視聴する視聴者のリアクションを撮影した動画をリアクション動画と呼ぶ。ここで、リアクション動画も視聴者による視聴対象とすることにより、リアクション動画を視聴する視聴者のリアクションを撮影した動画もさらなるリアクション動画として扱う。このため、便宜上、元動画を視聴する視聴者１のリアクションを撮影したリアクション動画を子動画と呼ぶ。また、子動画を視聴する視聴者２のリアクションを撮影したリアクション動画を孫動画と呼ぶ。以降同様に、孫動画、ひ孫動画、玄孫動画と呼ぶことにする。視聴者１と視聴者２は、同一人でも別人でも構わない。
【０００７】
＜使用場面＞
本発明の一実施の形態による動画鑑賞システムにおける再生装置の使用場面を例示する。
１．ダンス系音楽のプロモーションビデオ
例えばダンス系音楽のプロモーションビデオを元動画とし、このプロモーションビデオの再生画像を表示装置により表示する。視聴者１は、プロモーションビデオに映るダンサーを真似てダンスを踊り、その姿をビデオカメラで撮影する。撮影した動画を子動画とする。
【０００８】
子動画の再生画像を、元動画であるプロモーションビデオの再生画像とともに再生装置の表示画面に表示する。視聴者２は、プロモーションビデオに映るダンサーの踊りと子動画に映る視聴者１の踊りを見て、そのギャップに思わず吹き出してしまう。このような視聴者２の姿をビデオカメラで撮影し、撮影した動画を孫動画とする。孫動画の再生画像も、元動画や子動画の再生画像とともに再生装置の表示画面に表示可能にする。
【０００９】
２．ネコの様子を写したビデオ
例えば、何気ない動物（例えばネコ）を撮影したビデオを元動画とし、このネコのビデオの再生画像を表示装置により表示する。視聴者１は、ネコのビデオに映るネコの姿に反応し、アフレコで台詞をかぶせる姿をビデオカメラで撮影する。撮影した動画を子動画とする。
【００１０】
子動画の再生画像を、元動画であるネコのビデオの再生画像とともに再生装置の表示画面に表示する。視聴者２は、ネコのビデオに映るネコと視聴者１によるアフレコ動画（子動画）を視聴して、そのマッチ具合にポカンとした表情をしてしまう。このような視聴者２の姿をビデオカメラで撮影し、撮影した動画を孫動画とする。孫動画の再生画像も、元動画や子動画の再生画像とともに再生装置の表示画面に表示可能にする。異なる場所、異なる時間で、異なる人が台詞を被せたり、人それぞれの表情をみせたりすることで、楽しさが生じる。
【００１１】
３．人物がリズムを口ずさむ様子を撮影したビデオ
人があるリズムを口ずさむ様子を撮影したビデオを元動画とし、このビデオの再生画像を表示装置により表示する。視聴者１は、ビデオに映る人物によるリズムにのせて、例えば机を叩いてリズムを被せる。この視聴者１の姿をビデオカメラで撮影する。撮影した動画を子動画とする。
【００１２】
子動画の再生画像を、元動画のビデオの再生画像とともに再生装置の表示画面に表示する。視聴者２は、ビデオに映る人物と子動画に映る視聴者１を見て、さらにコップを叩いてリズムを被せる。このような視聴者２の姿をビデオカメラで撮影し、撮影した動画を孫動画とする。孫動画の再生画像も、元動画や子動画の再生画像とともに再生装置の表示画面に表示可能にする。異なる場所、異なる時間で、異なる人が同じリズムにのることで、楽しさが生じる。
【００１３】
４．人物があるポーズをとる様子を撮影したビデオ
人があるポーズをとる様子を撮影したビデオを元動画とし、このビデオの再生画像を表示装置により表示する。視聴者１は、ビデオに映る人物と同じポーズをとる。この視聴者１の姿をビデオカメラで撮影する。撮影した動画を子動画とする。
【００１４】
子動画の再生画像を、元動画のビデオの再生画像とともに再生装置の表示画面に表示する。視聴者２は、ビデオに映る人物と子動画に映る視聴者１を見て、さらに同じポーズをとる。このような視聴者２の姿をビデオカメラで撮影し、撮影した動画を孫動画とする。孫動画の再生画像も、元動画や子動画の再生画像とともに再生装置の表示画面に表示可能にする。異なる場所、異なる時間で、異なる人が同じポーズをすることで、可笑しさが生じる。
【００１５】
上記使用場面に例示したように、異なる場所、異なる時間で、異なる人が、元動画または子動画を視聴し、視聴した人の姿をビデオカメラで撮影し、撮影した動画を、子動画または孫動画とする。これらの子動画や孫動画を視聴可能にすることで、連鎖的にリアクション動画が増える。
【００１６】
このような元動画、子動画、孫動画、…を視聴可能にする場合において、リアクションの様子を視聴者が見て楽しめるようにするためには、これらの動画の再生画像を同じ時間軸で視聴可能にする。そして、子動画や孫動画に映る動物（例えば人）が、何にリアクションしているのかを判りやすくするため、表示装置に表示する複数の動画の再生画像を以下のように表示させる。
【００１７】
＜システムの構成＞
図１は、動画鑑賞システム１の全体構成を例示する図である。図１において、サーバー２と、ＰＣ４と、無線ＬＡＮ(Local Area Network)のアクセスポイント８とがネットワーク６に接続されている。さらに、アクセスポイント８を介してスマートフォン１０がネットワーク６に接続されている。動画鑑賞システム１のサーバー２は、視聴者に対してネット上で動画を提供する。動画は、ストリーミングやダウンロード等の形態で提供される。動画は、元動画、子動画、孫動画、…を含む。
【００１８】
動画の提供を受ける視聴者は、スマートフォン１０またはＰＣ（パーソナルコンピュータ）４等の端末を介して、動画を提供するサーバー２にアクセスする。なお、動画の提供を受ける端末（再生装置）はスマートフォン１０やＰＣ４に限られず、タブレット端末のようにネットワークに接続し動画を視聴できる電子機器であれば何でもよい。サーバー２は、動画情報を提供する事業者（以下、提供者と呼ぶ）により、データセンター等に設置される。なお、提供者とサーバー２の位置は、特に限定されず、ネット上で動画を提供することができれば、個人が自宅に設置してもよい。動画鑑賞システム１のサーバー２によって提供される動画は、視聴者によって投稿されたものでもよく、提供者によって用意されたものでもよい。
【００１９】
サーバー２は、データベースを含む記憶装置、データ処理装置、およびネットワーク６との間の通信制御装置等によって構成され、動画の提供に必要なデータ等を管理し、動画の配信を行う。サーバー２が管理するデータは、検索可能に記憶される。一例をあげると「東京」、「新宿」、「渋谷」、あるいは「横浜」等のように、エリア別に検索されたり、「動物」、「風景」、「ハプニング」等のように、提供される動画のジャンル別に検索されたりする。
【００２０】
アクセスポイント８は、駅や商業施設等に設置されており、ホットスポット等と呼ばれる。また、アクセスポイント８は自宅に設置されていてもよい。視聴者は、自宅やオフィスからＰＣ４を介してサーバー２へアクセスしたり、スマートフォン１０やタブレットコンピュータ等の無線ＬＡＮ機能を用いてアクセスポイント８経由でサーバー２へアクセスしたりする。なお、スマートフォン１０から図示しない携帯電話回線網を経由してネットワーク６上のサーバー２へアクセスしても構わない。
【００２１】
以下、スマートフォン１０を再生装置として使用する例を説明する。図２は、再生装置１０の外観を例示する図であり、図２(a)は正面図、図２(b)は背面図である。図２(a)において、再生装置１０の正面に、カメラ１１と、表示・入力部２０と、が設けられる。図２(b)において、再生装置１０の背面に、カメラ１２が設けられる。
【００２２】
図２(a)のカメラ１１は、再生装置１０で視聴者を撮影する際のカメラとして使用される。表示・入力部２０は、表示部２２に画像やアイコン２１などを表示するディスプレイ機能と、視聴者による接触操作を受け付ける操作部機能とを兼ね備えたタッチパネル液晶ディスプレイによって構成される。
【００２３】
表示・入力部２０は再生装置１０の筐体正面を覆うように設けられており、表示部２２は、表示面かつ操作面である。表示・入力部２０は、視聴者の指で表示部２２が接触操作されると、例えば、接触部の静電容量の変化に基づいて、接触操作されたこと、および接触位置を示す検出信号を出力する。
【００２４】
再生装置１０は、表示・入力部２０の表示部２２に表示しているアイコン２１に対応づけられているプログラムを起動させることにより、電話機能やメール機能、コンテンツ再生機能、カメラ機能など、各起動プログラムによって実現される機能を発揮する。なお、図２(a)に例示する表示部２２の表示内容は、いわゆるホーム画面の例である。図２(b)のカメラ１２は、再生装置１０でカメラ機能を発揮する際に撮影用カメラとして使用される。
なお、カメラ１１およびカメラ１２は、リアクション動画を撮影するカメラとして使用することもできる。
【００２５】
図３は、図２の再生装置１０の要部構成を例示するブロック図である。図３において、再生装置１０は、表示・入力部２０と、制御部３０と、上記カメラ１１、１２と、通信部１３とを有する。
【００２６】
＜表示・入力部２０＞
表示・入力部２０は、位置検出部２３と、表示部２２と、を含む。位置検出部２３は、指による接触位置を示す位置検出信号と、表示制御部３２が有する表示情報（表示・入力部２０の表示部２２のどこに、何を表示させているかを示す情報）とに基づいて、表示・入力部２０の画面上の対象（アイコン２１など）を特定する。表示部２２は、上述したように表示面かつ操作面である。
【００２７】
＜制御部３０＞
制御部３０は、プログラム実行部３１と、表示制御部３２と、コンテンツ再生部３３と、通信制御部３４と、不揮発性メモリ３５とを含み、再生装置１０内の各部の動作を制御する。
【００２８】
プログラム実行部３１は、表示・入力部２０の位置検出部２３によって特定されたアイコン２１に対応づけられているプログラムを実行する。プログラムは、不揮発性メモリ３５に格納されている。
【００２９】
表示制御部３２は、表示・入力部２０の表示部２２に、画像（動画、静止画）やアイコン２１などを表示させる。コンテンツ再生部３３は、不揮発性メモリ３５に格納されているコンテンツのファイルを読み出して再生する。コンテンツの種類としては、例えば、動画コンテンツ、静止画コンテンツ、音楽コンテンツ、および書籍コンテンツを含む。また、コンテンツ再生部３３は不図示のコンテンツ復号部（デコーダ）を用いることで圧縮されたコンテンツを復号することができる。なお、コンテンツ再生部３３は、不図示の揮発性メモリに一時的に格納（バッファリング）されているコンテンツを読み出して再生することもできる。一般的に、再生装置１０は、サーバー２からコンテンツファイルをダウンロードして取得した場合に、不揮発性メモリ３５にコンテンツファイルを格納する。一方、サーバー２からコンテンツファイルをストリーミングで取得した場合に、揮発性メモリにバッファリングを行う。
【００３０】
再生するコンテンツの種類は、視聴者から表示・入力部２０への接触操作によって指示される。動画コンテンツを再生する場合のコンテンツ再生部３３は、動画データに基づく再生画像（映像）を表示部２２に表示させるとともに、関連付けられている音声データに基づく音声を不図示のスピーカーや、無線または有線接続された不図示のヘッドフォンで再生させる。動画コンテンツは、動画鑑賞システム１のサーバー２から提供される動画を含む。
【００３１】
静止画コンテンツを再生する場合のコンテンツ再生部３３は、静止画データに基づく再生画像を表示部２２に表示させる。音楽コンテンツを再生する場合のコンテンツ再生部３３は、音楽データに基づく楽曲を再生させる。書籍コンテンツを再生する場合のコンテンツ再生部３３は、書籍データに基づく書籍の内容を表示部２２に表示させる。
【００３２】
通信制御部３４は、通信部１３を介して行う外部機器との通信を制御する。不揮発性メモリ３５は、プログラム実行部３１が実行するプログラム、コンテンツ再生部３３で再生するコンテンツファイルを格納する。プログラムやコンテンツファイルは、通信部１３を介して不揮発性メモリ３５へ更新記憶、または追加記憶することが可能である。
【００３３】
＜通信部１３＞
通信部１３は、通信制御部３４からの指示に応じて無線通信を行う。通信部１３は、無線ＬＡＮ(Local Area Network)のアクセスポイントを経由する通信と、携帯電話回線網を経由する通信とが可能に構成されている。
【００３４】
＜表示例＞
再生装置１０は、動画コンテンツとして動画鑑賞システム１のサーバー２から提供された動画の再生画像を、表示・入力部２０に表示する。図４(a)および図４(b)は、表示・入力部２０の表示画面を例示する図である。
１．再生リストの表示
再生装置１０は、動画の再生画像を表示する前に、表示・入力部２０に動画の再生リストを表示する。図４(a)において、表示・入力部２０に動画の再生リストが表示されている。再生リストは、例えば、動画ファイルごとにその動画を代表するサムネイル画像が並べて表示される。サムネイル画像は、動画を構成する１コマであってよく、先頭コマでも末尾コマでもよい。図４(a)では、動画１〜動画ＮまでのＮ個のサムネイル画像が表示される。再生装置１０は、再生リストの表示に必要な情報をサーバー２から取得する。
【００３５】
サムネイル画像に付された所定の情報（本例では星マーク）は、そのサムネイル画像に対応する動画に対してリアクション動画が存在することを示す。リアクション動画は、上述した子動画でも孫動画でも玄孫動画でもよい。所定の情報が付されていないサムネイル画像は、これに対応する動画に対してリアクション動画が存在しないことを示す。図４(a)の例では、動画１、動画３、および動画４を示すサムネイル画像にマークが付されているので、これら３つの動画にそれぞれリアクション動画が関連付けられている。
なお、図４(a)および図４(b)は、表示・入力部２０による横長の表示を例示したが、縦長表示にしても構わない。
【００３６】
２．再生準備画面の表示
再生装置１０は、図４(a)の表示画面のうちのいずれかのサムネイル画像の表示位置が視聴者によってタップ操作されることにより、タップ操作されたサムネイル画像に対応する動画の再生準備画面を表示・入力部２０に表示させる。
【００３７】
＜リアクション動画が存在しない場合の動画再生＞
再生装置１０は、図４(a)の再生リストの中から、例えば動画２のサムネイル画像の表示位置が視聴者によってタップ操作された場合に、図４(b)に示す再生準備画面を表示・入力部２０に表示させる。図４(b)は、動画２の再生準備画面を例示する図である。動画２は、リアクション動画が存在しない。
【００３８】
図４(b)において、動画２を代表する静止画像が表示・入力部２０に表示されるとともに、再生アイコン２５が重ねて表示されている。動画２を代表する静止画像は、動画２の再生画像（動画２を再生した場合の先頭画像など）に基づき生成されてもよく、再生装置１０は、動画の再生に先立ちサーバー２から動画２を代表する静止画像を取得している。
【００３９】
再生装置１０は、動画２の再生準備画面で再生アイコン２５が視聴者によってタップ操作されることにより、動画２の画像ファイルに基づく再生画像を表示・入力部２０に表示させる。
なお、図４(b)の再生準備画面において、動画２を代表する静止画像が表示・入力部２０の全体に表示されているが、動画２を代表する静止画像は表示・入力部２０の一部に表示されてもよい。また、動画２の再生画像を表示・入力部２０に表示させる場合においても、動画２を表示・入力部２０の全体に表示させてもよいし、動画２を表示・入力部２０の一部に表示させてもよい。
【００４０】
また、図４(a)の再生リストの中から動画２のサムネイル画像の表示位置が視聴者によってタップ操作された場合において、図４(b)に示す再生準備画面を表示・入力部２０に表示させることなく、すなわち、再生準備画面の再生アイコン２５が視聴者によってタップ操作されることなしに、動画２の再生が開始され、動画２の画像ファイルに基づく再生画像が表示・入力部２０に表示されるようにしてもよい。
【００４１】
＜リアクション動画が存在する場合の動画再生＞
再生装置１０は、図４(a)の再生リストの中から、例えば動画１のサムネイル画像の表示位置が視聴者によってタップ操作された場合に、動画１の再生準備画面を表示・入力部２０に表示させる。動画１は、リアクション動画が存在する。図示を省略するが、動画１の再生準備画面は、動画１を代表する静止画像が表示・入力部２０に表示される。動画２の再生準備画面の場合と同様に、再生装置１０は、動画の再生に先立ちサーバー２から動画１を代表する静止画像を取得する。動画１を代表する静止画像は、動画１の再生画像（動画１を再生した場合の先頭画像など）に基づき生成されてもよい。
【００４２】
再生装置１０は、動画１の再生準備画面で再生アイコン２５が視聴者によってタップ操作されることにより、後述する再生画像を表示・入力部２０に表示させる。
なお、図４(a)の再生リストの中から動画１のサムネイル画像の表示位置が視聴者によってタップ操作された場合において、動画１の再生準備画面を表示・入力部２０に表示させることなしに動画１の再生が開始され、後述する再生画像が表示・入力部２０に表示されるようにしてもよい。
【００４３】
リアクション動画が存在する場合、再生装置１０は、元動画およびリアクション動画を含む複数の動画の再生画像を同じ時間軸で並行して視聴可能にするとともに、再生表示している複数の動画の関係性（リアクション動画に映る動物（例えば人）が、どの動画を視聴しているのか）を示す表示を行う。図５は、リアクション動画が存在する動画の再生画像を説明する図である。
【００４４】
（ピクチャ・イン・ピクチャ（Ｐ.Ｉ.Ｐ.）による表示）
図５(a)は、元動画の表示領域にリアクション動画の表示領域を包含する、すなわち、ピクチャ・イン・ピクチャ（Ｐ.Ｉ.Ｐ.）の関係によって複数の動画の関係性を示す、動画の再生画像を例示する図である。図５(a)において、表示・入力部２０に元動画である動画１(親１)の再生画像５０と、動画１に対するリアクション画像である子動画１（子１）の再生画像６０とが表示されている。
【００４５】
図５(a)によれば、動画１の再生画像５０の表示領域内に子動画１の再生画像６０を配置することで、子動画１が動画１に対するリアクション動画であるという関係性を示す。つまり、元動画である動画１に対するリアクション画像である子動画１の再生画像６０は、動画１の再生画像５０の表示領域に包含される。
【００４６】
再生装置１０は、動画再生時に、動画１および子動画１をサーバー２から取得している。表示・入力部２０に表示される図５(a)の再生画像は、動画１および子動画１を重畳して表示したものである。再生装置１０は、サーバー２から取得した動画１および子動画１を一つの動画として合成してもよいし、サーバー２から、動画１および子動画１を一つの動画として合成された動画を取得するようにしてもよい。
なお、図５(a)において、動画１の再生画像５０が表示・入力部２０の一部に表示されているが、表示・入力部２０の全部に亘って表示されていてもよい。
【００４７】
（矢印の表示）
図５(b)は、元動画の表示領域とリアクション動画の表示領域とを矢印で結ぶことによって複数の動画の関係性を示す、動画の再生画像を例示する図である。図５(b)において、表示・入力部２０に元動画である動画１(親１)の再生画像５０と、動画１に対するリアクション画像である子動画１（子１）の再生画像６０と、子動画１に対するリアクション画像である孫動画１（孫１）の再生画像７０とが表示されている。
【００４８】
図５(b)によれば、再生画像６０から再生画像５０に向けて矢印の情報を表示することで、子動画１が動画１に対するリアクション動画であるという関係性を示す。また、再生画像７０から再生画像６０に向けて矢印の情報を表示することで、孫動画１が子動画１に対するリアクション動画であるという関係性を示す。
【００４９】
なお、再生装置１０は、サーバー２から取得した動画１、子動画１、および孫動画１をそれぞれ再生する際に、矢印の情報を表示させてもよいし、サーバー２から、動画１、子動画１、孫動画１、および矢印の情報が一つの動画として合成された動画を取得し、取得した動画を再生するようにしてもよい。
【００５０】
また、再生画像５０に対して再生画像６０の表示サイズを異ならせてもよく、再生画像６０に対して再生画像７０の表示サイズを異ならせてもよい。図５(b)の例では、各再生画像の表示サイズに関係なく、各再生画像の間の矢印の情報によって、元動画と、元動画に対するリアクション動画との関係性を示す。
さらにまた、図５(b)の例では、矢印の始点側に存在する動画が矢印の終点側に存在する動画に対するリアクション動画である例を説明したが、矢印の向きを逆に用いてもよい。
【００５１】
（異なる形状による表示）
図５(c)は、元動画の表示領域の形状とリアクション動画の表示領域の形状とを異ならせることによって複数の動画の関係性を示す、動画の再生画像を例示する図である。図５(c)において、表示・入力部２０に元動画である動画１(親１)の再生画像５０と、動画１に対するリアクション画像である子動画１（子１）の再生画像６０と、子動画１に対するリアクション画像である孫動画１（孫１）の再生画像７０とが表示されている。
【００５２】
図５(c)によれば、再生画像５０の表示形状を四角形とし、再生画像６０の表示形状を四角より角が多い、例えば八角形とすることにより、子動画１が動画１に対するリアクション動画であるという関係性を示す。また、再生画像７０の表示形状を八角より角がとれた形状、例えば楕円形とすることにより、孫動画１が子動画１に対するリアクション動画であるという関係性を示す。
【００５３】
なお、再生装置１０は、サーバー２から取得した動画１、子動画１、孫動画１および各動画の表示形状を示す情報に基づいてこれらを一つの動画として合成してもよいし、サーバー２から、動画１、子動画１、および孫動画１を上記表示形状で一つの動画として合成された動画を取得するようにしてもよい。
【００５４】
また、再生画像５０〜再生画像７０は、相互に重ねて表示されていてもよい。さらに、再生画像５０に対して再生画像６０の表示サイズが異なっていてもよく、再生画像６０に対して再生画像７０の表示サイズが異なっていてもよい。図５(c)の例では、各再生画像の表示サイズや表示の重なりに関係なく、各再生画像の表示形状によって、元動画と、元動画に対するリアクション動画との関係性を示す。
さらにまた、図５(c)の例では、表示形状として四角形、八角形、および楕円形を例示したが、他の表示形状を採用してもよい。
【００５５】
（異なる表示サイズによる表示）
図５(d)は、元動画の表示領域の表示サイズとリアクション動画の表示領域の表示サイズとを異ならせることによって複数の動画の関係性を示す、動画の再生画像を例示する図である。図５(d)において、表示・入力部２０に元動画である動画１(親１)の再生画像５０と、動画１に対するリアクション画像である子動画１（子１）の再生画像６０と、子動画１に対するリアクション画像である孫動画１（孫１）の再生画像７０とが表示されている。
【００５６】
図５(d)によれば、再生画像５０の表示サイズを再生画像６０の表示サイズより大きくすることにより、子動画１が動画１に対するリアクション動画であるという関係性を示す。また、再生画像６０の表示サイズを再生画像７０の表示サイズより大きくすることにより、孫動画１が子動画１に対するリアクション動画であるという関係性を示す。
【００５７】
なお、再生装置１０は、サーバー２から取得した動画１、子動画１、孫動画１および表示サイズを示す情報に基づいてこれらを一つの動画として合成してもよいし、サーバー２から、動画１、子動画１、および孫動画１を上記表示サイズにより一つの動画として合成された動画を取得するようにしてもよい。
【００５８】
また、再生画像５０〜再生画像７０は、相互に重ねて表示されていてもよい。図５(d)の例では、各再生画像の重なりに関係なく、各再生画像の表示サイズの違いによって、元動画と、元動画に対するリアクション動画との関係性を示す。
【００５９】
（再生画像の重なりによる表示）
図５(e)は、元動画の表示領域とリアクション動画の表示領域との重なり表示によって複数の動画の関係性を示す、動画の再生画像を例示する図である。図５(e)において、表示・入力部２０に元動画である動画１(親１)の再生画像５０と、動画１に対するリアクション画像である子動画１（子１）の再生画像６０と、子動画１に対するリアクション画像である孫動画１（孫１）の再生画像７０とが表示されている。
【００６０】
図５(e)によれば、再生画像５０の上から再生画像６０の一部を重ねて表示することにより、子動画１が動画１に対するリアクション動画であるという関係性を示す。また、再生画像６０の上から再生画像７０の一部を重ねて表示することにより、孫動画１が子動画１に対するリアクション動画であるという関係性を示す。
【００６１】
なお、再生装置１０は、サーバー２から取得した動画１、子動画１、孫動画１およびこれらの重ね順序を示す情報に基づいてこれらを一つの動画として合成してもよいし、サーバー２から、動画１、子動画１、および孫動画１を上記重ね順序により一つの動画として合成された動画を取得するようにしてもよい。
【００６２】
また、再生画像５０〜再生画像７０は、互いの表示サイズが異なっていてもよい。図５(d)の例では、各再生画像の表示サイズに関係はなく、各再生画像の重なりによって、元動画と、元動画に対するリアクション動画との関係性を示す。
【００６３】
（吹きだしによる表示）
図５(f)は、元動画の表示領域とリアクション動画の表示領域とを吹きだしで結ぶことによって複数の動画の関係性を示す、動画の再生画像を例示する図である。図５(f)において、表示・入力部２０に元動画である動画１(親１)の再生画像５０と、動画１に対するリアクション画像である子動画１（子１）の再生画像６０とが表示されている。
【００６４】
図５(f)によれば、再生画像６０から再生画像５０に向けて吹きだし情報を表示することで、子動画１が動画１に対するリアクション動画であるという関係性を示す。
【００６５】
なお、再生装置１０は、サーバー２から取得した動画１、子動画１および吹きだしの情報を一つの動画として合成してもよいし、サーバー２から、動画１、子動画１、および吹きだしの情報を一つの動画として合成された動画を取得するようにしてもよい。
【００６６】
また、再生画像５０に対して再生画像６０の表示サイズを異ならせてもよい。図５(f)の例では、各再生画像の表示サイズには関係なく、各再生画像の間の吹きだしの情報によって、元動画と、元動画に対するリアクション動画との関係性を示す。
さらにまた、図５(f)の例では、吹きだしの始点側に存在する動画が吹きだし方向に存在する動画に対するリアクション動画である例を説明したが、吹きだしの向きを逆に用いてもよい。
【００６７】
以上説明したように、元動画、子動画、孫動画、…を視聴可能にする場合において、元動画、子動画、孫動画の関係性を示す表示をさせたので、子動画や孫動画に映る動物（例えば人）が、どの動画を視聴してリアクションしているのかが判る。すなわち、各動画の関係性を示す情報は、子動画や孫動画に映る動物（例えば人）が見ていた動画を示す。元動画、子動画、孫動画の関係性を示すことによりリアクションの様子を見る視聴者をさらに楽しませることができる。
【００６８】
図５(a)〜図５(f)の再生画像において、元動画である動画１における主要被写体と異なる位置が、リアクション動画の再生画像（子動画１の再生画像６０、孫動画１の再生画像７０）の表示位置とされる。例えば、図５(a)において、動画１（再生画像５０）の主要被写体に重ならない位置に再生画像６０を表示することにより、子動画（再生画像６０）に映る動物（例えば人）が視聴していた動画１（再生画像５０）の主要被写体を隠すことが無い。再生画像６０、再生画像７０を動画１における主要被写体と被らない位置に表示することにより、子動画や孫動画に映る動物（例えば人）が、どの動画を視聴してリアクションしているのかを判りやすくすることができる。
【００６９】
なお、図５(a)〜図５(f)の各例において、視聴者が元動画である動画１の再生画像５０、子動画１の再生画像６０、孫動画１の再生画像７０等を表示するウィンドウをスワイプ操作することにより、再生装置１０は、対象ウィンドウの表示位置を表示・入力部２０の画面内で移動させる。なお、ウィンドウとは、各動画の再生画像５０、６０、７０の表示エリアのことであり、矩形に限らず、上述したように８角形や楕円形や吹きだしの形状であってもよい。また、視聴者が上記のウィンドウをピンチイン／ピンチアウト操作することにより、再生装置１０は、対象ウィンドウの表示サイズを変更してもよい。
【００７０】
＜フローチャートの説明＞
上述した動画鑑賞システム１による処理手順について、図６のフローチャートを参照して説明する。図６において、左側にサーバー２による処理の流れを示し、右側に視聴者側の再生装置１０（ＰＣ４でもよい）による処理の流れを示す。
【００７１】
＜再生装置１０の処理＞
再生装置１０の制御部３０は、例えば、リアクション動画再生アプリケーションが起動されると、図６による処理を開始する。図６のステップＳ２１において、制御部３０は、サーバー２のＵＲＬ(Uniform Resource Locator)情報に基づき当該ＵＲＬに該当するサーバー２にアクセスする。サーバー２から提供される動画の再生リストの情報が再生装置１０へ送信されると、制御部３０は、受信した情報に基づき、ステップＳ２２において再生リスト一覧を再生装置１０の表示・入力部２０に表示させる。これにより、視聴者は、サーバー２から提供される動画の再生リストを閲覧できる。再生リストは、図４(a)に例示したとおりである。
サーバー２は、例えば、データベースに記録されている動画の情報を、上述したエリア別、またはジャンル別に絞り込んで提供することができる。
【００７２】
ステップＳ２３において、制御部３０は、再生指示の有無を判定する。制御部３０は、図４(a)に例示するサムネイル画像の表示位置がタップ操作されると、対応する動画の送信をサーバー２へ要求する。制御部３０は、例えば図４(a)の再生リストにおいて動画２のサムネイル画像がタップ操作された場合に、図４(b)に示す再生準備画面を再生装置１０の表示・入力部２０に表示させる。なお、再生準備画面を構成する画像は、動画の再生開始（ステップ２５）に先立ちサーバー２から取得している。そして、再生準備画面において再生マーク２５がタップ操作された場合にステップＳ２３を肯定判定してステップＳ２４へ進み、ステップＳ２４において、動画２の再生要求、すなわちタップ操作されたサムネイルに対応する動画２の送信をサーバー２へ要求する。
【００７３】
なお、制御部３０は、図４(a)の再生リストにおいて動画２のサムネイル画像がタップ操作された場合に、図４(b)の再生準備画面を再生装置１０の表示・入力部２０に表示させることなくステップＳ２４へ進み、ステップＳ２４において、動画２の再生要求をサーバー２へ送信するようにしてもよい。再生準備画面を表示させるか否かは、予めメニュー設定等により設定されているものとする。
【００７４】
また、制御部３０は、例えば図４(a)の再生リストにおいて動画１のサムネイル画像がタップ操作された場合に、動画１に関する再生準備画面を再生装置１０の表示・入力部２０に表示させる。上述したように再生装置１０は、再生準備画面を構成する画像を動画の再生開始（ステップ２５）に先立ちサーバー２から取得している。
【００７５】
図４(a)の再生リストにおいて動画１のサムネイル画像がタップ操作された場合にも、動画１に関する再生準備画面を再生装置１０の表示・入力部２０に表示させることなくステップＳ２４へ進み、ステップＳ２４において、動画１の再生要求をサーバー２へ送信するようにしてもよい。
【００７６】
なお、再生装置１０の表示・入力部２０に再生準備画面を表示させるか否かを、サーバー２０から送信された情報に基づいて設定されるようにしてもよい。
【００７７】
制御部３０は、サーバー２から動画を受信し、ステップＳ２５において動画の再生を開始する。具体的には、再生要求した動画の再生画像を表示・入力部２０に表示させる。なお、ダウンロード再生が行われる場合には、サーバー２から動画を受信して不揮発性メモリ３５に保存した後、動画の再生を開始する。また、ストリーミング再生が行われる場合には、サーバー２からストリーミングで受信した動画を不図示の揮発性メモリにバッファリングし、再生を開始する。
【００７８】
ここで、制御部３０は、例えばリアクション動画が存在する動画１を再生要求した場合には、元動画である動画１に加えて、リアクション動画である子動画１および孫動画１についてもサーバー２から受信する。さらに、元動画とリアクション動画の関係性を示す情報を表示するための情報をサーバー２から受信し、当該受信した情報に基づいて再生画像を表示・入力部２０に表示する。一方、制御部３０は、例えばリアクション動画が存在しない動画２を再生要求した場合には、動画２のみを受信し、再生画像を表示・入力部２０に表示する。
【００７９】
ステップＳ２６において、制御部３０は、サーバー２から送信された動画の再生を終了し、ステップＳ２２へ戻る。ステップＳ２２へ戻った制御部３０は、上述した処理を繰り返す。
【００８０】
元動画とリアクション動画との関係性を示す情報を表示するための情報は、動画（元動画とリアクション動画）を受信した再生装置１０において、図５(a)〜図５(f)に例示した表示（元動画、子動画、孫動画の関係性を示す表示）をさせるために必要な情報である。すなわち、少なくともある動画に対応するリアクション動画（子動画）がどれで、子動画に対応するリアクション動画（孫動画）がどれで、孫動画に対応するリアクション動画（ひ孫動画）がどれであるかを特定できる情報を含んでいる。
【００８１】
再生装置１０の制御部３０は、元動画とリアクション動画との関係性を示す情報を表示するための情報に基づいて、元動画とリアクション動画の関係性を示すように、元動画である動画１の再生画像５０と、リアクション画像である子動画１の再生画像６０と、リアクション画像である孫動画１の再生画像７０とを配置し、表示・入力部２０に表示される画像を生成してもよい。
【００８２】
また、再生装置１０の制御部３０は、元動画とリアクション動画との関係性を示す情報を表示するための情報に基づいて、元動画とリアクション動画の関係性を示すように、元動画である動画１の再生画像５０と、リアクション画像である子動画１の再生画像６０と、リアクション画像である孫動画１の再生画像７０との表示サイズを決定し、表示・入力部２０に表示される画像を生成してもよい。
【００８３】
さらにまた、再生装置１０の制御部３０は、元動画とリアクション動画との関係性を示す情報を表示するための情報に基づいて、元動画とリアクション動画の関係性を示すように、元動画である動画１の再生画像５０と、リアクション画像である子動画１の再生画像６０と、リアクション画像である孫動画１の再生画像７０との表示形状を決定し、表示・入力部２０に表示される画像を生成してもよい。
【００８４】
さらに、再生装置１０の制御部３０は、元動画とリアクション動画の関係性を示す情報を表示するための情報に基づいて、元動画とリアクション動画の関係性を示すように、元動画である動画１の再生画像５０と、リアクション画像である子動画１の再生画像６０と、リアクション画像である孫動画１の再生画像７０との間に矢印の情報、または吹きだしの情報を付し、表示・入力部２０に表示される画像を生成してもよい。
【００８５】
＜サーバー２の処理＞
図６のステップＳ１１において、サーバー２は、再生可能な動画の再生リストの情報を再生装置１０へ送信しステップＳ１２へ進む。
【００８６】
ステップＳ１２において、サーバー２は、再生装置１０からの再生要求の有無を判定する。サーバー２は、再生装置１０からの再生要求を受信した場合に、ステップＳ１２を肯定判定してステップＳ１３へ進む。サーバー２は、再生装置１０から再生要求を受信しない場合には、ステップＳ１２を否定判定してステップＳ１１へ戻る。
【００８７】
ステップＳ１３において、サーバー２は、対象となる動画の送信を行う。サーバー２は、対象となる動画に対応するリアクション動画が存在する場合には、対象となる動画に加えて、対応するリアクション動画を再生装置１０に送信する。さらに、サーバー２は、元動画とリアクション動画との関係性を示す情報を、再生装置１０において表示するための情報を再生装置１０に送信する。一方、サーバー２は、対象となる動画にリアクション動画が存在しない場合には、対象となる動画のみを送信する。
なお、元動画、リアクション動画（子動画、孫動画、…）、元動画とリアクション動画との関係性を示す情報を表示するための情報は、不図示のデータベースに記憶されており、サーバー２は、データベースから上記情報を読出して再生装置１０に送信する。
【００８８】
サーバー２は、再生装置１０に対して以上の送信を行うとステップＳ１１へ戻る。ステップＳ１１へ戻ったサーバー２は、上述した処理を繰り返す。
【００８９】
元動画とリアクション動画との関係性を示す情報を表示するための情報は、動画（元動画とリアクション動画）を受信した再生装置１０において、図５(a)〜図５(f)に例示した表示（元動画、子動画、孫動画の関係性を示す表示）をさせるために必要な情報である。すなわち、少なくともある動画に対応するリアクション動画（子動画）がどれで、子動画に対応するリアクション動画（孫動画）がどれで、孫動画に対応するリアクション動画（ひ孫動画）がどれであるかを特定できる情報を含んでいる。
【００９０】
本実施の形態では、元動画と、リアクション動画（子動画、孫動画、…）とが個別にそれぞれデータベースに保存される。すなわち、例えば、元動画が１ファイル、子動画１が１ファイル、孫動画１が１ファイルとしてそれぞれデータベースに保存される。サーバー２は、再生装置１０において元動画とリアクション動画との関係性を示す情報を表示するための情報を有しており、この情報をステップＳ１３において動画（元動画、子動画、孫動画、…）とともに再生装置１０へ送信する。なお、元動画とリアクション動画との関係性を示す情報を表示するための情報は、動画の送信に先立って再生装置１０へ送信されてもよい。
なお、図５(a)〜図５(f)の再生画像において、元動画である動画１における主要被写体と異なる位置にリアクション動画（子動画１、孫動画１、…）を表示させているが、この表示位置は、元動画とリアクション動画との関係性を示す情報を表示するための情報に基づく。表示位置情報が、元動画とリアクション動画との関係性を示す情報を表示するための情報とともに、または、元動画とリアクション動画との関係性を示す情報を表示するための情報に含まれ、サーバー２から再生装置１０へ送信されてもよい。
【００９１】
上記実施の形態において、サーバー２において元動画が削除された場合は、サーバー２は、この元動画に対応するリアクション動画（子動画、孫動画、…）や、元動画とリアクション動画との関係性を示す情報を表示するための情報についても連動して削除してもよい。
【００９２】
次のような変形も本発明の範囲内であり、変形例の一つ、もしくは複数を上述の実施の形態と組み合わせることも可能である。
（変形例１）
上記実施の形態では、元動画と、リアクション動画（子動画、孫動画、…）とを個別に（例えば別なファイルとして）それぞれデータベースに保存する例を説明した。この代わりに、元動画に対して対応するリアクション動画を合成して一つの動画（例えば一つの動画ファイル）としてもよい。変形例１において、サーバー２は、元動画とリアクション動画との関係性を示す情報を表示するために必要な情報に基づき、元動画の再生画像の一部領域にリアクション動画の再生画像を付加する統合処理を行う。そして、統合処理後の動画を新たな元動画（元動画とリアクション動画が合成された動画）としてサーバー２のデータベースに保存する。
【００９３】
サーバー２における統合処理では、元動画とリアクション動画との関係性を示す情報を表示するための情報に基づいて、元動画とリアクション動画の関係性を示すように元動画の再生画像とリアクション動画の再生画像とを配置し、再生装置１０の表示部２２に表示される画像と同一の画像を生成する。さらに、当該画像に基づき、新たな元動画を生成する。
【００９４】
また、サーバー２における統合処理では、元動画とリアクション動画との関係性を示す情報を表示するための情報に基づいて、元動画とリアクション動画の関係性を示すように元動画の再生画像とリアクション動画の再生画像のサイズを決定し、再生装置１０の表示部２２に表示される画像と同一の画像を生成する。さらに、当該画像に基づき、新たな元動画を生成する。
【００９５】
また、サーバー２における統合処理では、元動画とリアクション動画との関係性を示す情報を表示するための情報に基づいて、元動画とリアクション動画の関係性を示すように元動画の再生画像とリアクション動画の再生画像の形状を決定し、再生装置１０の表示部２２に表示される画像と同一の画像を生成する。さらに、当該画像に基づき、新たな元動画を生成する。
【００９６】
また、サーバー２における統合処理では、元動画とリアクション動画との関係性を示す情報を表示するための情報に基づいて、元動画とリアクション動画の関係性を示すように元動画の再生画像やリアクション動画の再生画像に符号等を付し、再生装置１０の表示部２２に表示される画像と同一の画像を生成する。さらに、当該画像に基づき、新たな元動画を生成する。
【００９７】
また、サーバー２における統合処理では、元動画とリアクション動画の関係性を示す情報を表示するための情報に基づいて、元動画とリアクション動画の関係性を示すように元動画の再生画像とリアクション動画の再生画像との間に矢印を付し、再生装置１０の表示部２２に表示される画像と同一の画像を生成する。さらに、当該画像に基づき、新たな元動画を生成する。
【００９８】
変形例１によれば、リアクション動画を元動画に統合し、一つの動画を生成することにより、元動画とリアクション動画とを並行して再生する場合に比べて、再生処理時の負担を軽減することができる。具体的には、サーバー２は、ステップＳ１３において再生装置１０に統合処理後の動画を送信するだけでよい。また、再生装置１０は、元動画とリアクション動画の関係性を示す情報を表示するための情報を受信する必要もなく、ステップＳ２５からステップ２６において統合処理後の動画を再生するだけでよい。
【００９９】
（変形例２）
変形例１のサーバー２が行う統合処理を、再生装置１０において行うようにしてもよい。すなわち、再生装置１０は、元動画とリアクション動画との関係性を示す情報を表示するための情報に基づき、元動画の再生画像の一部領域にリアクション動画を付加する統合処理を行い、統合処理後の動画をサーバー２へアップロードする。サーバー２は、投稿された統合処理後の動画をサーバー２のデータベースに保存する。
【０１００】
変形例２によれば、再生装置１０がリアクション動画を元動画に統合することにより、サーバー２側の処理負担を軽減することができる。
【０１０１】
（変形例３）
上述した実施の形態では、サーバー２と視聴者の再生装置１０とで動画鑑賞システム１を構成する例を説明したが、視聴者の再生装置１０の中で構成してもよい。変形例３の場合は、視聴者が再生装置１０の中（例えば、不揮発性メモリ３５）に保存している動画を視聴し、この動画を視聴する視聴者のリアクションを撮影したリアクション動画を再生装置１０の中（例えば、不揮発性メモリ３５）に記録する。すなわち、再生装置１０は、動画コンテンツとしてサーバー２から提供された動画ではなく、再生装置１０の中に保存している動画（元動画、リアクション動画）の再生画像を、表示・入力部２０に表示する。
【０１０２】
変形例３によれば、再生装置１０だけで、元動画、子動画、孫動画、…を視聴可能とし、リアクションの様子を視聴者が見て楽しむことができる。なお、再生装置１０の中に保存している元動画は、サーバー２０からダウンロードしたものでよい。また、再生装置１０の中に保存しているリアクション動画は、必ずしも再生装置１０で撮影したものである必要はなく、サーバー２０からダウンロードしたものでよい。
【０１０３】
（変形例４）
上記実施の形態では、図５(a)〜図５(f)の再生画像を参照して、元動画である動画１における主要被写体と異なる位置にリアクション動画（子動画、孫動画、…）を表示する例を説明した。この代わりに、リアクション動画（子動画、孫動画、…）に映る動物（例えば人）が注目する対象と異なる位置にリアクション動画（子動画、孫動画、…）を表示してもよい。
【０１０４】
変形例４では、リアクションを撮影する再生装置１０に視線検出機能を備える。視線検出装置は、表示・入力部２０の画面を見る視聴者の視線位置を検出し、視聴者が注視している表示・入力部２０の画面領域を示す視線情報を生成する。視線検出には、赤外光を視聴者の眼の角膜で反射させて視線方向を検出する角膜反射法や、角膜と強膜との光に対する反射率の差を利用するリンバストラッキング法、視聴者の眼球の映像をカメラ１１で撮像して画像処理により視線を検出する画像解析法などがあり、いずれの視線検出方法を用いてもよい。リアクションを撮影した再生装置１０は、リアクション動画、および、元動画とリアクション動画とを関連付ける情報をサーバー２へアップロードする際、生成した視線情報を合わせてアップロードするようにしてもよい。また、サーバー２は、視線情報を、元動画とリアクション動画との関係性を示す情報を表示するための情報とともに、または、元動画とリアクション動画との関係性を示す情報を表示するための情報に含めて、再生装置１０へ送信してもよい。
【０１０５】
変形例４によれば、リアクション動画を再生する再生装置１０は、受信した視線情報に基づき、リアクション動画（子動画）に写る動物（例えば人）が、元動画である動画１において注目している領域と異なる位置に、リアクション動画（子動画）を表示させることが可能になる。同様に、リアクション動画（孫動画）に写る動物（例えば人が）が、子動画において注目している領域と異なる位置に、リアクション動画（孫動画）を表示させることが可能になる。
【０１０６】
変形例４によれば、再生装置１０は、元動画（子動画なども含む）においてリアクション動画（子動画、孫動画、…）に写る動物（例えば人）が注目している領域を避けてリアクション動画を表示させるので、リアクション動画に映る動物（例えば人）が、何に対してリアクションしているのかわかり、リアクションの様子を見る視聴者をさらに楽しませることができる。
【０１０７】
（変形例５）
上記変形例４に対して、再生装置１０は、元動画（子動画なども含む）においてリアクション動画（子動画、孫動画、…）に写る動物（例えば人）が注目している領域を囲む枠を表示させるなどして、元動画においてリアクション動画（子動画、孫動画、…）に写る動物（例えば人）が注目している領域をわかりやすく表示してもよい。変形例５によれば、リアクション動画に映る動物（例えば人）が、何に対してリアクションしているのかを示すことができる。
【０１０８】
（変形例６）
以上の説明では、図５(a)〜図５(f)の各例において、視聴者が子動画１、子動画２、子動画Ｎ、孫１、孫２等を表示するウィンドウをピンチイン／ピンチアウト操作することによって、再生装置１０が、対象ウィンドウの表示サイズを変更する例を説明した。この代わりに、サーバー２（または再生装置１０）が、自動的にウィンドウの表示サイズを変更させてもよい。
【０１０９】
変形例６において、サーバー２は、リアクション動画（子動画、孫動画、…）においてリアクションが大きくなるタイミングを検出する。タイミングの検出は、例えば、リアクション動画に映る動物の表情の変化量が大きい、リアクション動画による画像の変化量が大きい、およびリアクション動画とともに録音されている音声の変化量が大きい、のうち少なくとも一つに該当する場合を検出する。そして、サーバー２は、リアクション動画の再生時において、検出したタイミングにさしかかると元画像の表示サイズを小さくするとともに、対応するリアクション動画を表示するウィンドウのサイズを大きくする。このように、元動画と対応するリアクション動画とを表示する各サイズを同期させて変化させることで、元動画とリアクション動画の関係性が示される。
なお、検出したタイミングにさしかかると元画像の表示サイズを大きくするとともに、対応するリアクション動画を表示するウィンドウのサイズを小さくしてもよい。
【０１１０】
（変形例７）
図７(a)〜図７(c)は、リアクション動画が存在する場合の動画の再生画像の他の例を説明する図である。
（符号による表示）
図７(a)は、子動画の表示領域に符号を表示することによって複数の動画の関係性を示す、動画の再生画像を例示する図である。図７(a)において、表示・入力部２０に元動画である動画１(親１)の再生画像５０と、複数の子動画とが表示されている。複数の子動画は、動画１に対するリアクション画像である子動画１（子１）の再生画像６０ａと、動画１に対するリアクション画像である子動画２（子２）の再生画像６０ｂと、動画１に対するリアクション画像である子動画３（子３）の再生画像６０ｃとを含む。
【０１１１】
図７(a)によれば、再生画像６０ａに符号４３ａを、再生画像６０ｂに符号４３ｂを、再生画像６０ｃに符号４３ｃを、それぞれ表示することにより、子動画１、子動画２、および子動画３がそれぞれ撮影された時刻の先後を示している。例えば、符号の値が大きいほど、後から撮影されたことを示していてもよい。符号に代えて、または符号と組み合わせて、番号、文字、記号、図形、マーク等を付してもよい。
【０１１２】
図７(a)では、図５(e)の場合と同様に、再生画像５０に対して再生画像６０ａ、再生画像６０ｂ、再生画像６０ｃの一部をそれぞれ重ねて表示することにより、子動画１〜子動画３が動画１に対応していることを示している。このように、重なり表示によって元動画とリアクション動画との関係性を示す場合には、再生画像５０の表示サイズは、再生画像６０ａ、６０ｂおよび６０ｃの表示サイズと同一であってもよい。
【０１１３】
なお、図７(a)において、図５(d)の場合と同様に、再生画像５０の表示サイズに対して再生画像６０ａ、再生画像６０ｂ、再生画像６０ｃの表示サイズを小さくすることにより、子動画１〜子動画３が動画１に対応していることを示してもよい。このように、異なる表示サイズによって元動画とリアクション動画との関係性を示す場合には、再生画像５０に対して再生画像６０ａ、再生画像６０ｂ、再生画像６０ｃをそれぞれ重ねることなく、再生画像５０から離間して再生画像６０ａ、再生画像６０ｂ、再生画像６０ｃを表示してもよい。
【０１１４】
図７(a)において、図５(a)の場合と同様に、Ｐ.Ｉ.Ｐ.による表示によって子動画１〜子動画３が動画１に対応していることを示してもよい。また、図５(b)の場合と同様に、矢印の表示によって子動画１〜子動画３が動画１に対応していることを示してもよい。さらに、図５(c)の場合と同様に、動画の表示領域の形状によって子動画１〜子動画３が動画１に対応していることを示してもよい。さらにまた、図５(f)の場合と同様に、吹きだしによって子動画１〜子動画３が動画１に対応していることを示してもよい。
【０１１５】
また、子動画の表示領域に符号を表示することに加えて、親動画の表示領域に符号を表示する場合は、必ずしも再生画像５０に対して再生画像６０ａ、再生画像６０ｂ、再生画像６０ｃをそれぞれ重ねる必要はない。さらに、必ずしも再生画像５０の表示サイズに対して再生画像６０ａ、再生画像６０ｂ、再生画像６０ｃの表示サイズを小さくする必要もない。このように、符号の表示によって元動画とリアクション動画との関係性を示す場合には、再生画像５０から離間して再生画像６０ａ、再生画像６０ｂ、再生画像６０ｃを表示してよく、再生画像５０、再生画像６０ａ、６０ｂおよび６０ｃの表示サイズを同一にしてもよい。
【０１１６】
（Ｐ.Ｉ.Ｐ.および矢印による組み合わせの表示）
図７(b)において、表示・入力部２０に元動画である動画１(親１)の再生画像５０の表示領域内に、動画１に対するリアクション画像である子動画１（子１）の再生画像６０ａを配置するとともに、再生画像５０の表示領域内に、動画１に対するリアクション画像である子動画２（子２）の再生画像６０ｂを配置することで、子動画１および子動画２がそれぞれ動画１に対するリアクション動画であるという関係性を示す。
【０１１７】
図７(b)にはさらに、子動画１（子１）に対するリアクション画像である孫動画ａ〜孫動画ｈの再生画像７０ａ〜７０ｈと、子動画２（子２）に対するリアクション画像である孫動画ｉ〜孫動画ｏの再生画像７０ｉ〜７０ｏとが、それぞれ表示されている。再生画像７０ａ〜７０ｈから再生画像６０ａに向けてそれぞれ矢印の情報を表示することで、孫動画ａ〜孫動画ｈが子動画１（子１）に対するリアクション動画であるという関係性を示す。また、再生画像７０ｉ〜７０ｏから再生画像６０ｂに向けてそれぞれ矢印の情報を表示することで、孫動画ｉ〜孫動画ｏが子動画２（子２）に対するリアクション動画であるという関係性を示す。
【０１１８】
孫動画ａ〜孫動画ｈの再生画像７０ａ〜７０ｈの表示領域に、それぞれ符号を表示することによって、孫動画ａ〜孫動画ｈがそれぞれ撮影された時刻の先後を示してもよい。同様に、孫動画ｉ〜孫動画ｏの再生画像７０ｉ〜７０ｏの表示領域に、それぞれ符号を表示することによって、孫動画ｉ〜孫動画ｏがそれぞれ撮影された時刻の先後を示してもよい。
【０１１９】
（異なる表示サイズおよび矢印による組み合わせの表示）
図７(c)において、表示・入力部２０に元動画である動画１(親１)の再生画像５０と、動画１に対するリアクション画像である子動画の再生画像６０と、子動画に対するリアクション画像である孫動画ａ〜孫動画ｃの再生画像７０ａ〜７０ｃと、孫動画ｂに対するリアクション画像であるひ孫動画の再生画像８０と、ひ孫動画に対するリアクション画像である玄孫動画の再生画像９０とが表示されている。
【０１２０】
図７(c)によれば、再生画像５０の表示サイズを再生画像６０の表示サイズより大きくすることにより、子動画が動画１に対するリアクション動画であるという関係性を示す。また、再生画像７０ａ〜７０ｃから再生画像６０に向けて矢印の情報をそれぞれ表示することで、孫動画ａ〜孫動画ｃが子動画に対するリアクション動画であるという関係性を示す。さらに、再生画像８０から再生画像７０ｂに向けて矢印の情報を表示することで、ひ孫動画が孫動画ｂに対するリアクション動画であるという関係性を示す。さらにまた、再生画像９０から再生画像８０に向けて矢印の情報を表示することで、玄孫動画がひ孫動画に対するリアクション動画であるという関係性を示す。
【０１２１】
孫動画ａ〜孫動画ｃの再生画像７０ａ〜７０ｃの表示領域に、それぞれ符号を表示することによって、孫動画ａ〜孫動画ｃがそれぞれ撮影された時刻の先後を示してもよい。
【０１２２】
以上説明したように、元動画、子動画、孫動画、…を視聴可能にする場合において、元動画、子動画、孫動画、ひ孫動画、玄孫動画の関係性を示す表示をさせたので、子動画や孫動画に映る動物（例えば人）が、どの動画を視聴してリアクションしているのかが判る。すなわち、各動画の関係性を示す情報は、子動画や孫動画に映る動物（例えば人）が見ていた動画を示す。元動画、子動画、孫動画、…の関係性を示すことによりリアクションの様子を見る視聴者をさらに楽しませることができる。
なお、図示した例に限らず、図５(a)〜図５(f)の例や図７(a)〜図７(c)の例を適宜組み合わせてもよい。
【０１２３】
（変形例８）
上述した使用場面の他に、以下の場合にも適用することができる。
１．ライブ配信されている動画が元動画の場合
例えば、対戦格闘ゲーム画面を元動画とし、ライブで配信されている元動画の再生画像を表示装置により表示する。視聴者１は、ゲーム画面（元動画の再生画像）のプレイヤー１の操るキャラクターと同じポーズ、表情をして、その姿をビデオカメラで撮影する。撮影した動画を子動画１とする。この子動画１を、元画像に重畳してライブ配信する。
【０１２４】
視聴者２は、ゲーム画面（元動画の再生画像）のプレイヤー２の操るキャラクターと同じポーズ、表情をして、その姿をビデオカメラで撮影する。撮影した動画を子動画２とする。この子動画２を、元画像に重畳してライブ配信する。
【０１２５】
ライブ配信が終った後、元の動画、視聴者１によるリアクション動画（子動画１）、視聴者２によるリアクション動画（子動画２）が合成されてさらに公開される。それを見た視聴者３、視聴者４、視聴者５…がその動画を見て、ポーズや表情の可笑しさについ笑いを誘われる。これらの視聴者３、視聴者４、視聴者５のリアクションもビデオカメラで撮影して、それぞれ孫動画１、孫動画２、孫動画３とする。
【０１２６】
２．リアクションする視聴者同士がリアルタイムのコミュニケーションを行う場合
元動画の種類は、上述した使用場面のいずれのケースでもよい。元動画を見ている視聴者が２名以上（複数）、同時に存在し、元動画の再生も同時である場合、自分のリアクションと同時に別の視聴者のリアクションも見ることができて、別の視聴者のリアクションに対するリアクション（すなわちコミュニケーション）を行うことができる。
【０１２７】
このとき、視聴者１が元動画、あるいは視聴者２、視聴者３のいずれに対してリアクションしているのかは、例えば視聴者１の視線検出（視聴者１が注視している再生装置１０の表示・入力部２０の画面領域を検出する）によって可能である。視聴者１の再生装置１０は、視聴者１が映る子動画１についての表示の合成に必要な情報に、視聴者１の視線情報を含める。
【０１２８】
視聴者１の再生装置１０は、例えば、元動画に対して小さいサイズで子動画１を表示し、元動画のうち視聴者１から注目されている領域に向けて、子動画１を含む吹きだしを表示することで、元動画と子動画１との関係性を示す。
【０１２９】
また、視聴者１の再生装置１０は、視聴者１の視線が元動画でなく視聴者２が映る子動画２に向いている場合には、視聴者１から注目されている子動画２のウィンドウに向けて、子動画１を含む吹きだしを表示することで、子動画２と子動画１との関係性を示す。
【０１３０】
このように、視聴者１が映る子動画１を表示するウィンドウと、リアクション対象である視聴者２が映る子動画２を表示するウィンドウとが吹きだし（矢印でもよい）状のアイコンに変化して、子動画２と子動画１との関係性をグラフィカルに表現することができる。
【０１３１】
上述した実施の形態によれば、次の作用効果が得られる。
（１）動画を表示する再生装置１０は、元動画１の再生画像と、再生された元動画を見ている視聴者を撮影した子動画（リアクション動画）の再生画像と、元動画と子動画との関係性を示す情報とを含む画像を表示する表示・入力部２０を備える。これにより、子動画に映る視聴者が、何にリアクションしているのか（例えば、リアクションのもととなる動画）を示すことができる。
【０１３２】
（２）再生装置１０は、動画を再生する制御部３０と、制御部３０により再生された元動画の再生画像、制御部３０により再生された子動画の再生画像、および元動画と子動画との関係性を示す情報を含む画像を生成する制御部３０と、を備える。これにより、例えばサーバー２から元動画および子動画が提供された場合において、子動画に映る視聴者がどの元動画にリアクションしているのかを示すことができる。
【０１３３】
（３）再生装置１０は、動画を再生する制御部３０を備え、元動画に対応する子動画が合成されている動画の再生画像を表示する。これにより、例えばサーバー２から動画が提供された場合において、子動画に映る視聴者がどの元動画にリアクションしているのかを示すことができる。また、サーバー２の動画の送信負荷、再生装置１０の動画の再生負荷を低減することができる。
【０１３４】
（４）元動画と子動画のうち一方の再生画像の範囲内に、他方の動画の再生画像が配置されているという情報により、子動画に映る視聴者がどの元動画にリアクションしているのか示すことができる。
【０１３５】
（５）元動画と子動画のうち一方の再生画像から他方の動画の再生画像に向かう矢印情報により、子動画に映る視聴者がどの元動画にリアクションしているのかを示すことができる。
【０１３６】
（６）元動画と子動画との関係性を示す番号、文字、記号、符号、図案、マークの少なくとも一つにより、子動画に映る視聴者がどの元動画にリアクションしているのかを示すことができる。
【０１３７】
（７）元動画と子動画のうち一方の再生画像の形状が他方の動画の再生画像の形状と異なっているという情報により、子動画に映る視聴者がどの元動画にリアクションしているのかを示すことができる。
【０１３８】
（８）元動画と子動画のうち一方の再生画像の大きさが他方の動画の再生画像の大きさと異なっているという情報により、子動画に映る視聴者がどの元動画にリアクションしているのかを示すことができる。
【０１３９】
（９）元動画または子動画の再生画像の形状またはサイズが変化するという情報により、子動画に映る視聴者がどの元動画にリアクションしているのかを示すことができる。
【０１４０】
（１０）再生装置１０において、表示・入力部２０は、元動画と子動画の関連を示す情報を表示するので、通常の動画と、リアクション動画を有する動画（元動画）を区別することができる。
【０１４１】
（１１）リアクション動画としての子動画が複数存在する場合にも、それぞれの子動画に映る視聴者がどの元動画にリアクションしているのか示すことができる。
【０１４２】
（１２）また、孫動画に映る視聴者がどの子動画にリアクションしているのか示すことができる。
【０１４３】
（１３）再生装置１０において、表示・入力部２０に表示する画像に、元動画の再生画像における視聴者の注目対象を示す情報をさらに含むので、視聴者が何にリアクションしているのか（元動画の再生画像のどの部分にリアクションしているのか）を示すことができる。
【０１４４】
（１４）再生装置１０において、制御部３０は、元動画の再生画像における視聴者（子動画（孫動画）に映る視聴者）の注目対象が表示されるように画像を生成する。例えば、元動画における主要被写体と被らない位置に子動画（孫動画）を表示することで、再生装置１０の再生画像（表示部）を見ている視聴者に対して、子動画（孫動画）に映る視聴者がリアクションを撮影する際、注目している注目対象を視認させることができる。
【０１４５】
（１５）動画処理する動画鑑賞システム１は、元動画の再生画像を見ている視聴者を撮影した子動画と、元動画とを送信するサーバー２と、送信された元動画と子動画を受信する再生装置１０において元動画と子動画との関係性を示す情報を表示するための情報を記憶するサーバー２とを備え、サーバー２は、元動画と子動画を送信する際、元動画と子動画との関係性を示す情報を表示するための情報を送信する。これにより、再生装置１０に対して、子動画に映る視聴者が何にリアクションしているのかを示す情報を提供できる。
【０１４６】
（１６）動画鑑賞システム１は、元動画の再生画像を見ている視聴者を撮影した子動画の再生画像と、元動画の再生画像と、元動画と子動画との関係性を示す情報とを含む動画を、動画の再生要求に基づき送信するサーバー２を備える。これにより、再生装置１０に対して、子動画に映る視聴者が何にリアクションしているのかを示す動画を提供できる。
【０１４７】
（１７）動画鑑賞システム１において、サーバー２は、子動画と、元動画と子動画の関連を示す情報を受信する。これにより、例えば、視聴者から投稿された子動画についての元動画と子動画の関連を示す情報を得ることができる。
【０１４８】
（変形例９）
再生装置１０によってリアクション動画を撮影し、再生装置１０からサーバー２へリアクション動画を投稿するように構成してもよい。図８は、変形例９に係る動画鑑賞システム１による処理手順を説明するフローチャートである。図８において、左側にサーバー２による処理の流れを示し、右側に視聴者側の再生装置１０（ＰＣ４でもよい）による処理の流れを示す。
【０１４９】
図８において、図６のフローチャートと同様の処理には図６と同一のステップ番号を付して説明を省略し、図６と相違する箇所を中心に説明する。
【０１５０】
＜再生装置１０の処理＞
図８のステップＳ２５の次に進むステップＳ２５０において、再生装置１０の制御部３０は、カメラ１１により動画撮影を開始させる。カメラ１１で撮影する動画は、表示・入力部２０に表示される再生画像を視聴する視聴者を撮影するリアクション動画である。
【０１５１】
制御部３０は、動画再生開始（ステップＳ２５）と、動画撮影開始（ステップＳ２５０）との時刻を揃えることにより、例えば、動画の再生画像におけるハプニングと、リアクション動画における視聴者のリアクションとのタイミングを一致させる。
【０１５２】
ステップＳ２６において、制御部３０は、サーバー２から配信された動画の再生を終了すると、ステップＳ２５２において、カメラ１１による動画撮影を終了させる。なお、制御部３０は、リアクション動画の撮影中において、再生中の動画の再生画像に対する表示サイズの変更操作（ピンチイン／ピンチアウト）を無効にする。
【０１５３】
ステップＳ２５４において、制御部３０は、ステップＳ２５〜ステップＳ２６までに再生した動画（元動画）と、ステップＳ２５０〜ステップＳ２５２までに録画したリアクション動画とを関連付ける情報を生成する。この生成情報は、リアクション動画が元動画に対応することを示す。
なお、上記生成情報は、制御部３０によってリアクション動画のファイルとともに不揮発性メモリ３５に記録される。
【０１５４】
ステップＳ２５６において、制御部３０は、投稿指示の有無を判定する。制御部３０は、視聴者によってリアクション動画をサーバー２側へ投稿する操作がなされた場合に、ステップＳ２５６を肯定判定してステップＳ２５８へ進む。ステップＳ２５８において、制御部３０は、リアクション動画および、元動画とリアクション動画とを関連付ける情報をサーバー２へアップロードしてステップＳ２２へ戻る。ステップＳ２２へ戻った制御部３０は、上述した処理を繰り返す。
【０１５５】
なお、投稿するリアクション動画を他の視聴者に対して視聴可能にする公開する場合の公開期間、公開範囲等については、提供者と投稿者との間で適切に処理されるものとする。
【０１５６】
一方、制御部３０は、視聴者によってリアクション動画をサーバー２側へ投稿する操作がなされない場合には、ステップＳ２５６を否定判定してステップＳ２２へ戻る。ステップＳ２２へ戻った制御部３０は、上述した処理を繰り返す。
【０１５７】
＜サーバー２の処理＞
変形例９の場合、リアクションの元となる元動画（子動画等を含む）に対して、リアクション動画を付加することの制限（リアクションを可能とする視聴者の範囲、期間、数など）については、リアクションの元となる元動画（子動画等を含む）についての著作権を有する者と動画提供サービスの実施者との間で適切に処理されるものとする。
【０１５８】
ステップＳ１３の次に進むステップＳ１４０において、サーバー２は、再生装置１０から投稿された動画を受信してステップＳ１４２へ進む。ステップＳ１４２において、サーバー２は、関連付け情報（元動画とリアクション動画とを関連付ける情報）を受信してステップＳ１４４へ進む。
【０１５９】
ステップＳ１４４において、サーバー２は、再生リストの情報、および元動画とリアクション動画との関係性を示す情報を表示するために必要な情報を生成してステップＳ１４６へ進む。再生リストの情報は、再生装置１０側で図４(a)に例示した表示をさせるために必要な情報である。すなわち、再生可能な各動画ファイルの代表サムネイル画像と、各動画に対応するリアクション動画の有無を示す情報である。
【０１６０】
元動画とリアクション動画との関係性を示す情報を表示するために必要な情報は、動画（元動画とリアクション動画）を受信した再生装置１０側で図５(a)〜図５(f)に例示した表示（元動画、子動画、孫動画の関係性を示す表示）をさせるために必要な情報である。すなわち、少なくともある動画に対応するリアクション動画（子動画）がどれで、子動画に対応するリアクション動画（孫動画）がどれで、孫動画に対応するリアクション動画（ひ孫動画）がどれであるかを特定できる情報を含んでいる。
【０１６１】
ステップＳ１４６において、サーバー２は、動画ファイルを保存するデータベースを更新する。サーバー２は、投稿された動画と、その関連付け情報と、元動画とリアクション動画との関係性を示す情報を表示するための情報とを不図示のデータベースに追加してステップＳ１１へ戻る。ステップＳ１１へ戻ったサーバー２は、上述した処理を繰り返す。
【０１６２】
以上説明した変形例９によれば、再生装置１０側でリアクション動画を撮影し、撮影した動画をサーバー２へ投稿することができる。また、サーバー２は、再生装置１０から投稿された動画をリアクション動画としてデータベースに追加することができる。
【０１６３】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【０１６４】
１…動画鑑賞システム、２…サーバー、１０…スマートフォン、再生装置、１１、１２…カメラ、１３…通信部、２０…表示・入力部、３０…制御部
【図１】
0006720575.tif 000002
【図２】
0006720575.tif 000003
【図３】
0006720575.tif 000004
【図４】
0006720575.tif 000005
【図５】
0006720575.tif 000006
【図６】
0006720575.tif 000007
【図７】
0006720575.tif 000008
【図８】
0006720575.tif 000009